(57)【要約】【構成】リモコン装置４２または４４からの発信される赤外線信号は、リモコンＩＤおよび操作コードを含む。受光素子４０は、このような赤外線信号を受信する。一方、フラッシュメモリ３８上の設定情報テーブル３８ｔは、複数の操作コードにそれぞれ対応する複数の設定態様を示す設定情報を、複数のリモコンＩＤの各々に対応して記憶する。受光素子４０によって受信された赤外線に適合する設定情報は、ＣＰＵ３６によって設定情報テーブル３８ｔから検出される。検出された設定情報に従う設定は、ＣＰＵ３６によって有効化される。【効果】操作者の能力に応じた設定変更が可能となる。【選択図】図１
2007129285.tif 000002
【特許請求の範囲】
【請求項１】
装置識別子と操作識別子とを含む操作信号を遠隔制御装置から受信する受信手段、
複数の操作識別子にそれぞれ対応する複数の設定態様を示す設定情報を複数の装置識別子の各々に対応して記憶する記憶手段、
前記受信手段によって受信された操作信号に適合する設定情報を前記記憶手段から検出する検出手段、および
前記検出手段によって検出された設定情報に従う設定を有効化する有効化手段を備える、設定変更装置。
【請求項２】
コンテンツを出力する第１出力手段、および
前記第１出力手段によって出力されるコンテンツの品質を調整するために参照される複数の調整画面を選択的に出力する第２出力手段をさらに備え、
前記記憶手段によって記憶される設定情報は前記第２出力手段によって出力される複数の調整画面を前記複数の装置識別子にそれぞれ割り当てる表示設定情報を含む、請求項１記載の設定変更装置。
【請求項３】
前記第２出力手段によって出力される複数の調整画面は複雑さに関して互いに相違する、請求項２記載の設定変更装置。
【請求項４】
前記第２出力手段によって出力される複数の調整画面の複雑さは前記記憶手段によって記憶された複数の装置識別子にそれぞれ対応する複数の遠隔制御装置の操作パネルの複雑さに対応する、請求項３記載の設定変更装置。
【請求項５】
前記第１出力手段によって出力すべきコンテンツを受信する受信手段をさらに備える、請求項２ないし４のいずれかに記載の設定変更装置。
【請求項６】
複数の操作識別子にそれぞれ対応する複数の設定態様を示す設定情報を複数の装置識別子の各々に対応して記憶する記憶手段を備える設定変更装置のプロセサに、
装置識別子と操作識別子とを含む操作信号を遠隔制御装置から受信する受信ステップ、
前記受信ステップによって受信された操作信号に適合する設定情報を前記記憶手段から検出する検出ステップ、および
前記検出ステップによって検出された設定情報に従う設定を有効化する有効化ステップを実行させるための、設定変更プログラム。
【発明の詳細な説明】
【技術分野】
【０００１】
この発明は、設定変更装置に関し、特にたとえばテレビジョン受像機に適用され、遠隔制御装置から出力された操作信号に対応する操作画面を出力する、設定変更装置に関する。
【背景技術】
【０００２】
従来のこの種の装置の一例が、特許文献１に開示されている。この従来技術によれば、調整モードオンキーが押されると、１０進形式の調整画面がブラウン管に表示される。ここでＭＵＴＥキーが押されると、調整画面の表示形式が１０進形式から２進形式に変更される。操作者は、所望の形式で表示された調整画面を利用して画質調整を行うことができる。
【特許文献１】特開２００１−１５７２３２号公報［H04N 17/04, 5/445］
【発明の開示】
【発明が解決しようとする課題】
【０００３】
しかし、従来技術では、２進形式で表示された調整画面を利用したいとき、操作者は、１０進形式の調整画面を表示した状態でＭＵＴＥキーを操作しなければならない。つまり、調整画面の表示設定は、調整画面に向けた特定のキー操作を行わないと変更されない。
【０００４】
それゆえに、この発明の主たる目的は、操作者の能力に応じた設定変更操作をより簡単に実現することができる、設定変更装置を提供することである。
【課題を解決するための手段】
【０００５】
請求項１の発明に従う設定変更装置(10)は、装置識別子と操作識別子とを含む操作信号を遠隔制御装置(42, 44)から受信する受信手段(40)、複数の操作識別子にそれぞれ対応する複数の設定態様を示す設定情報を複数の装置識別子の各々に対応して記憶する記憶手段(38t)、受信手段によって受信された操作信号に適合する設定情報を記憶手段から検出する検出手段(S11)、および検出手段によって検出された設定情報に従う設定を有効化する有効化手段(S13)を備える。
【０００６】
遠隔制御装置からの操作信号は、装置識別子および操作識別子を含む。受信手段は、このような操作信号を受信する。一方、記憶手段は、複数の操作識別子にそれぞれ対応する複数の設定態様を示す設定情報を複数の装置識別子の各々に対応して記憶する。受信手段によって受信された操作信号に適合する設定情報は、検出手段によって記憶手段から検出される。検出手段によって検出された設定情報に従う設定は、有効化手段によって有効化される。
【０００７】
したがって、記憶手段から検出される設定情報は、操作信号を出力した遠隔制御装置に依存する。このため、有効化される設定は、遠隔制御装置（操作者）に応じて相違し得る。これは、操作者の能力に応じた設定変更操作を可能にする。
【０００８】
請求項２の発明に従う設定変更装置は、請求項１に従属し、コンテンツを出力する第１出力手段(22)、および第１出力手段によって出力されるコンテンツの品質を調整するために参照される複数の調整画面を選択的に出力する第２出力手段(30)をさらに備え、記憶手段によって記憶される設定情報は第２出力手段によって出力される複数の調整画面を複数の装置識別子にそれぞれ割り当てる表示設定情報を含む。第２出力手段によって出力される調整画面は、操作信号を出力する遠隔制御装置に依存する。
【０００９】
請求項３の発明に従う設定変更装置は、請求項２に従属し、第２出力手段によって出力される複数の調整画面は複雑さに関して互いに相違する。これによって、操作者の能力に応じた複雑さを有する調整画面を表示させることができる。
【００１０】
請求項４の発明に従う設定変更装置は、請求項３に従属し、第２出力手段によって出力される複数の調整画面の複雑さは記憶手段によって記憶された複数の装置識別子にそれぞれ対応する複数の遠隔制御装置の操作パネルの複雑さに対応する。複雑な操作パネルを有する遠隔制御装置を使用すれば複雑な調整画面が出力される一方、簡単な操作パネルを有する遠隔制御装置を使用すれば簡単な調整画面が出力される。
【００１１】
請求項５の発明に従う設定変更装置は、請求項２ないし４のいずれかに従属し、第１出力手段によって出力すべきコンテンツを受信する受信手段(12, 14)をさらに備える。調整画面は、受信手段によって受信されるコンテンツの品質を調整するために参照される。
【００１２】
請求項６の発明に従う設計変更プログラムは、複数の操作識別子にそれぞれ対応する複数の設定態様を示す設定情報を複数の装置識別子の各々に対応して記憶する記憶手段(38t)を備える設定変更装置(10)のプロセサ(36)に、装置識別子と操作識別子とを含む操作信号を遠隔制御装置(42, 44)から受信する受信ステップ(S1)、受信ステップによって受信された操作信号に適合する設定情報を記憶手段から検出する検出ステップ(S11)、および検出ステップによって検出された設定情報に従う設定を有効化する有効化ステップ(S13)を実行させるための設定変更プログラムである。
【００１３】
請求項１の発明と同様、操作者の能力に応じた設定変更操作が可能となる。
【発明の効果】
【００１４】
この発明によれば、記憶手段から検出される設定情報は、操作信号を出力した遠隔制御装置に依存する。このため、有効化される設定は、遠隔制御装置（操作者）に応じて相違し得る。これは、操作者の能力に応じた設定変更操作を可能にする。
【００１５】
この発明の上述の目的，その他の目的，特徴および利点は、図面を参照して行う以下の実施例の詳細な説明から一層明らかとなろう。
【発明を実施するための最良の形態】
【００１６】
図１を参照して、この実施例のテレビジョン受像機１０は、ＢＳアンテナ１２および地上波アンテナ１６を含む。ＢＳ放送の高周波信号はＢＳアンテナ１２によって捉えられ、地上波放送の高周波信号は地上波チューナ１８によって捕らえられる。ＢＳチューナ１４は、ＢＳアンテナ１２によって捉えられた高周波信号を入力し、選局設定に従うＢＳチャネルのテレビジョン信号を出力する。地上波チューナ１８は、地上波アンテナ１６によって捉えられた高周波信号を入力し、選局設定に従う地上波チャネルのテレビジョン信号を出力する。
【００１７】
セレクタ２０は、ＢＳチューナ１４および地上波チューナ１８のうち選択設定に従うチューナを選択する。選択されたチューナからのテレビジョン信号は、セレクタ２０を介して信号処理回路２２に与えられる。信号処理回路２２は、与えられたテレビジョン信号を映像信号と音声信号とに分離し、分離された映像信号にパラメータ設定に従う画質調整処理を施す。映像信号は、所望のコントラスト，所望の色あい，所望の色の濃さ，および所望の明るさに調整される。
【００１８】
分離された音声信号は、音声出力回路３２でゲイン設定に従って増幅された後、スピーカ３４から出力される。分離されかつ画質調整処理を施された映像信号は、加算器２４および映像出力回路２６を介して表示装置２８から出力される。この結果、所望の放送映像が画面に表示される。
【００１９】
キャラクタジェネレータ３０は、キャラクタ設定に従うキャラクタ信号を出力する。出力されたキャラクタ信号は、加算器２４によって映像信号と加算される。したがって、キャラクタ信号が出力されたときは、対応するキャラクタが画面上の放送映像に多重される。
【００２０】
リモコン装置４２および４４はいずれも、テレビジョン受像機１０に適合し、キー操作に対応する赤外線信号をテレビジョン受像機１０に向けて発信する。ただし、操作パネルの複雑さは、リモコン装置４２および４４の間で相違する。つまり、リモコン装置４２に設けられた操作パネルは、リモコン装置４４に設けられた操作パネルよりも複雑である。
【００２１】
リモコン装置４２および４４の各々から発信される赤外線信号は、図２に示すように、ヘッダ，リモコンＩＤおよび操作コードを含む。リモコンＩＤは、リモコン装置４２に関して“Ａ”を示す一方、リモコン装置４４に関して“Ｂ”を示す。操作コードは、操作されたキーを識別するための識別コードである。
【００２２】
このような赤外線信号は、受光素子４０によって検知され、ＣＰＵ３６に与えられる。ＣＰＵ３６は、与えられた赤外線信号からリモコンＩＤおよび操作コードを検出し、検出されたリモコンＩＤおよび操作コードに適合する設定情報をフラッシュメモリ３８に記憶された設定情報テーブル３８ｔから特定し、そして特定された設定情報に対応する設定を有効化する。
【００２３】
設定情報テーブル３８ｔは、図３に示すように構成される。図３を参照して、操作コード“地上波チャネル番号”，“チャネルアップ”，“チャネルダウン”，“ボリュームアップ”，“ボリュームダウン”，“カーソル移動”，“決定”は、リモコンＩＤ“Ａ”および“Ｂ”に共通して割り当てられる。操作コード“ＢＳチャネル番号”，“チューナ切換”および“目盛量変更”は、リモコンＩＤ“Ａ”にのみ割り当てられる。操作コード“画質設定”は、リモコンＩＤ“Ａ”および“Ｂ”の各々に割り当てられる。
【００２４】
リモコンＩＤ“Ａ”または“Ｂ”と操作コード“地上波チャネル番号”とが検出されると、地上波チューナ１８を選択するための選択設定がセレクタ２０に適用され、所望の地上波チャネル番号に対応するチャネルに同調するための選局設定が地上波チューナ１８に適用される。リモコンＩＤ“Ａ”または“Ｂ”と操作コード“チャネルアップ”とが検出されると、現チャネルの次のチャネルに同調するための選局設定が、セレクタ２０によって選択されているチューナに適用される。リモコンＩＤ“Ａ”または“Ｂ”と操作コード“チャネルダウン”とが検出されると、現チャネルに先行するチャネルに同調するための選局設定が、セレクタ２０によって選択されているチューナに適用される。
【００２５】
リモコンＩＤ“Ａ”または“Ｂ”と操作コード“ボリュームアップ”とが検出されると、現ゲインよりも１段階上のゲインで音声信号を増幅するためのゲイン設定が、音声出力回路３２に適用される。リモコンＩＤ“Ａ”または“Ｂ”と操作コード“ボリュームダウン”とが検出されると、現ゲインよりも１段階下のゲインで音声信号を増幅するためのゲイン設定が、音声出力回路３２に適用される。
【００２６】
リモコンＩＤ“Ａ”と操作コード“ＢＳチャネル番号”とが検出されると、ＢＳチューナ１４を選択するための選択設定がセレクタ２０に適用され、ＢＳチャネル番号に対応するチャネルに同調するための選局設定がＢＳチューナ１４に適用される。リモコンＩＤ“Ａ”と操作コード“チューナ切換”とが検出されると、現時点で選択されていないチューナを選択するための選択設定がセレクタ２０に適用される。
【００２７】
リモコンＩＤ“Ａ”と操作コード“画質設定”とが検出されると、通常画質調整画面を表示するためのキャラクタ設定がキャラクタジェネレータ３０に適用される。表示装置２８からは、図４に示す画面が出力される。リモコンＩＤ“Ｂ”と操作コード“画質設定”とが検出されると、簡易画質調整画面を表示するためのキャラクタ設定がキャラクタジェネレータ３０に適用される。表示装置２８からは、図５に示す画面が出力される。
【００２８】
図４によれば、通常画質調整画面は、“くっきり”，“明るい”，“暗い”の簡易メニュー項目と、“コントラスト”，“色あい”，“色の濃さ”および“明るさ”の詳細メニュー項目とによって形成される。カーソルＣＳは、いずれかのメニュー項目を指向する。図５によれば、簡易画質調整画面は、“くっきり”，“明るい”および“暗い”の簡易メニュー項目によって形成される。カーソルＣＳは、上述と同様、いずれかのメニュー項目を指向する。このように、表示されたメニュー項目の数つまり画面の複雑さにおいては、通常画質調整画面が簡易調整画面よりも複雑である。
【００２９】
通常画質調整画面が表示された状態で、リモコンＩＤ“Ａ”または“Ｂ”と操作コード“カーソル移動”とが検出されると、カーソルＣＳを移動させるためのキャラクタ設定がキャラクタジェネレータ３０に設定される。カーソルＣＳは別のメニュー項目を指向する。カーソルＣＳが図４に示す詳細メニュー項目の１つを指向している状態で、リモコンＩＤ“Ａ”と操作コード“目盛量変更”とが検出されると、カーソルＣＳによって指向される詳細メニュー項目の目盛量を変更するためのキャラクタ設定がキャラクタジェネレータ３０に適用される。この結果、目盛量が増加／減少する。
【００３０】
リモコンＩＤ“Ａ”または“Ｂ”と操作コード“決定”とが検出されると、カーソルＣＳが指向するメニュー項目に対応するパラメータ設定が信号処理回路２２に適用される。この結果、信号処理回路２２から出力される映像信号の画質が変更される。
【００３１】
簡易メニュー項目“くっきり”，“明るい”および“暗い”の各々に対応する画質は、コントラスト，色あい，色の濃さ，明るさの全てによって定義される。したがって、簡易メニュー項目が選択されたときは、コントラスト，色あい，色の濃さ，明るさの全てが信号処理回路２２によって調整される。これに対して、いずれかの詳細メニュー項目の目盛量が変更されたときは、変更された目盛量のパラメータのみが信号処理回路２２によって調整される。
【００３２】
図示しないが、設定情報テーブル３８ｔには、ダミーのリモコンＩＤ“＊”、ならびにリモコンＩＤ“＊”に割り当てられた操作コードおよび設定情報も記述される。受光素子４０によって受信された操作信号がリモコンＩＤを含まない場合、ＣＰＵ３６はリモコンＩＤ“＊”を自ら作成し、作成したリモコンＩＤ“＊”と操作信号から検出された操作コードとに適合する設定情報を設定情報テーブル３８ｔから特定し、そして特定された設定情報に対応する設定を有効化する。これによって、リモコンＩＤを出力しない旧式のリモコン装置の操作に応じた設定変更が可能となる。
【００３３】
ＣＰＵ３６は、詳しくは図６に示すフロー図に従う処理を実行する。なお、このフロー図に対応する制御プログラムは、フラッシュメモリ３８に記憶される。
【００３４】
まずステップＳ１で、ヘッダが検出されたか否かを判別する。ここでＹＥＳであれば、検出されたヘッダに続くリモコンＩＤの検出をステップＳ３で試みる。リモコンＩＤの検出に成功したか否かはステップＳ５で判断し、ＹＥＳであればそのままステップＳ９に進む一方、ＮＯであればステップＳ７でダミーのリモコンＩＤ“＊”を作成してからステップＳ９に進む。ステップＳ９では、操作信号に含まれる操作コードを検出する。
【００３５】
ステップＳ１１では、検出／作成されたリモコンＩＤと検出された操作コードとに適合する設定情報を設定情報テーブル３８ｔから特定する。ステップＳ１３では、特定された設定情報に従う設定を有効化する。この結果、所望の設定が所望の回路に適用される。ステップＳ１３の処理が完了すると、ステップＳ１に戻る。
【００３６】
以上の説明から分かるように、リモコン装置４２または４４からの発信される赤外線信号（操作信号）は、リモコンＩＤ（装置識別子）および操作コード（操作識別子）を含む。受光素子４０は、このような赤外線信号を受信する。一方、フラッシュメモリ３８上の設定情報テーブル３８ｔは、複数の操作コードにそれぞれ対応する複数の設定態様を示す設定情報を、複数のリモコンＩＤの各々に対応して記憶する。受光素子４０によって受信された赤外線に適合する設定情報は、ＣＰＵ３６によって設定情報テーブル３８ｔから検出される(S11)。検出された設定情報に従う設定は、ＣＰＵ３６によって有効化される(S13)。
【００３７】
ここで、設定情報テーブル３８ｔによって記憶される設定情報は、通常画質調整画面および簡易画質調整画面をリモコン装置４２および４４にそれぞれ割り当てる表示設定情報を含む。また、通常画質調整画面および簡易画質調整画面の複雑さは、リモコン装置４２および４４の操作パネルの複雑さに対応する。
【００３８】
したがって、複雑な操作パネルを有するリモコン装置を使用すれば複雑な画質調整画面が出力され、簡単な操作パネルを有するリモコン装置を使用すれば簡単な画質調整画面が出力される。
【００３９】
このように、設定情報テーブル３８ｔから検出される設定情報は赤外線信号を出力したリモコン装置に依存し、有効化される設定はリモコン装置つまり操作者に応じて相違する。この結果、操作者の能力に応じた設定変更操作が可能となる。
【００４０】
なお、この実施例では、テレビジョン受像機を用いて説明しているが、この発明は、ビデオレコーダやラジオ受信機のようなリモコン装置を用いて設定を変更するあらゆる設定変更装置に適用することができる。
【図面の簡単な説明】
【００４１】
【図１】この発明の一実施例の構成を示すブロック図である。
【図２】リモコン装置から出射される赤外線信号の構造の一例を示す図解図である。
【図３】図１実施例に適用される設定情報テーブルの一例を示す図解図である。
【図４】図１実施例の動作の一部を示す図解図である。
【図５】図１実施例の動作の他の一部を示す図解図である。
【図６】図１実施例に適用されるＣＰＵの動作の一部を示すフロー図である。
【符号の説明】
【００４２】
１０  …テレビジョン受像機
１４  …ＢＳチューナ
１８  …地上波チューナ
２２  …信号処理回路
２８  …表示装置
３０  …キャラクタジェネレータ
３６  …ＣＰＵ
４０  …受光素子
４２，４４  …リモコン装置
【図１】
2007129285.tif 000003
【図２】
2007129285.tif 000004
【図３】
2007129285.tif 000005
【図４】
2007129285.tif 000006
【図５】
2007129285.tif 000007
【図６】
2007129285.tif 000008